(57)【要約】      （修正有）【課題】ワィンディング作業の際、作業台の上にロッド、ペーパー、ワィンディング用ゴムなどを置き作業をしていた為、ペーパーやワィンディングゴムを落としてしまったり、ワィンディングの工程で作業台にペーパー、ロッド、ワィンディング用ゴムと３回手を伸ばさなければならず、作業が非効率であった。【解決手段】和紙タイプのペーパーを大小２種類収納できる収納用具の側面にワィンディング用ゴムを収納するためのゴムホルダープレートを簡単に着脱できるようにし、本体にベルトをつけ左右どちらの腕にも着脱できるようにした。一枚ずつ取れる専用ペーパーに対応したペーパー収納用具に、ワィンディング用ゴムを収納するためのゴムホルダープレートと他サイズペーパー用増設ペーパーホルダーを腕に着脱できるように収納用具本体にベルトをつけ左右どちらの腕にも着脱できるよう構成されている。【選択図】図１
2006280525.tif 000002
【特許請求の範囲】
【請求項１】
理美容のパーマネントウェーブ技術で使用する為のコールドパーマ用ペーパーを手元に収納できるようにしたケースと前記ケースに取り付ける為のゴム等の弾性体が付いているホルダー。前記ワィンディングペーパーのケースは大と小の2種類のコールドパーマ用ペーパーが同時に収まる様に加工を施したプラスティックケースで、前記ケースをどちらか片方の腕に着脱可能なようにベルトを設け、腕に取り付けた段階でも自由に角度が変えられる。
【請求項２】
また前記ケースにおいて使用するコールドパーマ用ペーパーがティッシュペーパーの様な感覚で一枚づつ取り出せる専用のペーパーを使用する為のもの。このケースは腕に着脱できる本体部と着脱式増設ケースとの２種類に分かれており、着脱式増設ケースを使用することで数種類のサイズのペーパーを使用することができる。
【請求項３】
前記ケースに着脱可能にしたワィンディング用ゴムを収納する為のホルダープレート。前記ケース本体の外側とゴムホルダープレート自体に両者を簡単に取り付け、取り外しをする為の専用の接合部があり、本体ケース外側の接合部内の好きな所にゴムホルダープレートの着脱が可能である。またゴムホルダープレート自体に30〜90度程度の角度が付いておりワィンディング用ゴムがコールドパーマ用ペーパーを取る作業の邪魔にならないようにする。
【発明の詳細な説明】
【技術分野】
【０００１】
本発明はパーマネントウェーブ技術におけるワィンディング時の作業の効率化と作業スペースの確保をする為のもので、プラスティックケースにコールドパーマ用ペーパーを固定する為の弾性体をつけたペーバーホルダーケースと前記ケースに取り付ける為の増設用ペーパーケース及びワィンディング技術で使用する為のワィンディング用ゴムを束ねる為のゴムホルダープレートに関するものである。
【背景技術】
【０００２】
一般的に、頭髪にコールドパーマをかける場合、頭髪をブロックごとにまとめ、一定量の頭髪をコームでスライスして分け取り、コールドパーマ用ペーパーをその分け取った頭髪といっしょにロッドを使用してコールドパーマ用ペーパーごと頭髪に巻き付け、頭髪の根元近くまでロッドで巻き、輪ゴムをロッドの左右にかけてロッドを固定するワインディングという作業を行う。この際コールドパーマ用ペーパーやロッド、ワィンディング用ゴム等を作業台の上において作業をするが沢山の種類のロッドやゴムケース、コールドパーマ用ペーパー等を使用する際は場所の確保が難しかった。
前記の問題点を解決するために、施術者の身の回り範囲内にほとんどの道具を携帯可能にすると共に、ロール状コールドパーマ用ペーパーを収容保持するペーパー保持部を備えた携帯理容具収納装置が提案されている（特許文献１参照）。またコールドパーマ用ペーパーだけを収納し省スペースにするコールドパーマ用ペーパー収納用具とその用具がワゴンから落下しないようにする専用ホルダーが提案されている。（特許文献２、特許文献3参照）またワィンディング用ゴムを取りやすくワゴンに設置するための輪ゴム取り器が提案されている。（特許文献４参照）
【特許文献１】登録実用新案第３０２１７８５  広報（第２頁左欄２〜８行、図１、図９）
【特許文献２】特開２００４−１７３９２０  広報
【特許文献３】特開昭６３−５８９０１  広報
【特許文献４】特開２００２−３３０８１６  広報
【発明の開示】
【発明が解決しようとする課題】
【０００３】
しかしながら図１６に示すように携帯理容収納用具６３は肩掛けベルト６１で肩からぶら下げた鞄６３にロッド６４とロール状のコールドパーマ用ペーパー６２を収納し、携帯可能にしたものである。そのため沢山のロッド等を鞄に入れるため鞄が大きく顧客が座っている椅子と施術者の間に鞄が配置されるため、理容作業の邪魔になり作業性が悪いという欠点があった。また図１８に示すようにワィンディング用ゴムを取りやすくする為の輪ゴム取り器は７１の輪ゴムハンガーの上にワィンディング用ゴム７２をのせてワィンディング作業の際に取りやすくするためのものである。しかしながらワィンディング作業の際毎回ワゴンに設置をするには少し手間がかかってしまいます。またワィンディング用ゴムをセットする際一本一本ワィンディング用ゴムを輪ゴムハンガー７１に置いていかなければならないので、ワィンディング作業に入る前に時間がかかってしまうという欠点がある。さらにワィンディング作業の一回の工程の際にワゴンにロッド、ワィンディング用ペーパー、ワィンディング用ゴムの３つの物をとる為に、３回ワゴンに手を伸ばさなければならないという欠点がある。また図１５のコールドパーマ用ペーパー収納用具５１と専用ホルダー５２はワゴン５３等に吊り下げてコールドパーマ用ペーパー収納用具５１が落下をしないようにしてあります。コールドパーマ用ペーパー収納用具５１を専用ホルダー５２を使用して吊り下げる事により若干の省スペース化を図ることはできますが、その為にコールドパーマ用ペーパー収納用具５１を設置する場所が作業台５３の端に配置されてしまい、コールドパーマ用ペーパー５６を取る際にコールドパーマ用ペーパー収納ケースが机の上に設置してある時よりもコールドパーマ用ペーパーが取りにくく作業性が悪いという欠点があります。またコールドパーマ用ペーパー収納用具５１は専用ホルダー５２で吊り下げており机の上に配置する場合と比較すると収納用具自体が落下する心配はないのですが、ワィンディング用ゴムケース５４は作業台５３の上に配置されている為、台の上から落下をしてしまう可能性があります。また色々な種類のロッド５７ａ、５７ｂ等を使用してワィンディングを行う際、ロッドケース５５の端に入っているロッド５７ｂを使用する場合コールドパーマ用ペーパー５６とロッド５７ｂの位置が離れてしまい、ロッド５７ｂが取りにくく作業に手間取ってしまうという欠点があります。またワィンディング作業の工程で、一定量の頭髪をコームでスライスして分け取った後、コールドパーマ用ペーパー５６とロッド５７ａ（５７ｂ）とワィンディング用ゴム５８と３つの物を作業台５３から取らなければならないのだが、スライスして取った頭髪を持ったままコールドパーマ用ペーパー、次にロッド、最後にワィンディング用ゴムという順番に一回のワィンディング作業の工程で３回も作業台５３に手を往復させてこれらの道具を取る必要がある。その為に時間的なロスも大きく作業をスムーズにする為に他の従業員がワィンディング用ペーバー、ロッド、ワィンディング用ゴムを順次作業する人に手渡ししていた。
そこで、本発明は、このような問題点を解決すべく創案されたもので、その目的は、ワインディング作業の際に、コールドパーマ用ペーパー収納用具やワィンディング用ゴムケースが床等への転落がないようにし、また施術者の邪魔にならず、作業性を向上させることが可能なコールドパーマ用ペーパーケースとワィンディング用ゴムケースを提供することにある。
【課題を解決するための手段】
【０００４】
前記課題を解決するために請求項目１に記載の発明では、コールドパーマ用ペーパーを収納する為の収納用具であって、大小の２種類のコールドパーマ用ペーパーを保持できるように、大きなサイズのコールドパーマ用ペーパーをゴム等の弾性体で保持し、その保持されたコールドパーマ用ペーパーの上にさらに小さいサイズのコールドパーマ用ペーパーを保持し、そのコールドパーマ用ペーパーを保持する為にゴム等の弾性体を有したもの。前記コールドパーマ用ペーパー収納用具は、前記収納用具との間に３６０度自由自在に回転するための支持部と左右どちらかの腕に固定するためのベルト部分を有し、そのベルト部分の両端には腕に固定するための簡単に取り外し可能な接合部がある。また前記収納用具側面には増設部を簡単に取り付け又は、取り外しが可能な接合部があり、請求項目３記載の専用ワィンディング用ゴムを保持する為のゴムホルダープレートを取り付ける事ができる。
前記構成において弾性体を使用することで大きなサイズのコールドパーマ用ペーパーをしっかり保持することができ、一枚ずつコールドパーマ用ペーパーを取得することができる。また保持する為の弾性体を２本にしてその弾性体の間に上のコールドパーマ用ペーパーを保持する為の弾性体を配置し、コールドパーマ用ペーパーを保持することにより上に配置した小さなサイズのコールドパーマ用ペーパーを動かさないように下の大きなサイズのコールドパーマ用ペーパーを一枚ずつ取ることができる。
請求項目２に記載の発明では、ティッシュペーパーの様な感覚で一枚ずつコールドパーマ用ペーパーを取ることができる専用ペーパーを使用するための専用の収納用具である。前記収納用具と同様に収納用具との間に３６０度自由自在に回転するための支持部と左右どちらかの腕に固定するためのベルト部分を有し、そのベルト部分の両端には腕に固定するための簡単に取り外し可能な接合部がある。また前記収納用具側面には簡単に取り外しが可能な接合部があり、専用ワィンディング用ゴムを収納する為の着脱式の請求項目３記載のゴムホルダープレート、小さなサイズのティッシュペーパーの様な感覚で一枚ずつコールドパーマ用ペーパーを取ることができる専用ワィンディング用ペーパーを収納する為の着脱式増設収納用具を取り付ける事ができる。
前記構成においてティッシュペーパーの様な感覚で一枚ずつコールドパーマ用ペーパーを取ることができる専用ペーパーを使用するコールドパーマ用ペーパー収納用具の外側の左右側面、後部側面においては同じ種類の接合部を有することにより本体の接合部であればどの場所にでも増設コールドパーマ用ペーパー収納用具、ゴムホルダープレートを取り付けることができる。また増設コールドパーマ用ペーパー収納用具に関しては左右側面を本体収納用具と対になる接合部を設け、増設収納用具後部側面と本体の側面を同じ接合部を設けることにより、収納用具本体に増設収納用具を取り付けた場合でも増設収納用具後部側面と本体とが同質の接合部になる為、増設収納用具にゴムホルダープレートを取り付けることが可能である。
請求項目３に記載の発明では、前記ケースに着脱可能にしたワィンディング用ゴムを収納する為の専用ゴムホルダープレートであり、前記本体側面の接合部とゴムホルダープレート下側の接合部が簡単に着脱できるようにしてあり、接合部ならどこにでも好きな所にゴムホルダープレートが着脱可能である。またゴムホルダープレート自体に30〜90度程度の角度を付けることによってワィンディング用ゴムが前記ケースの外側に配置され、ワィンディング用ペーパーを取得する際にワィンディング用ゴムが邪魔にならず、またワィンディング用ゴムを取る際にワィンディング用ペーパーが作業の邪魔にならないようにする。
【発明の効果】
【０００５】
以上の通り構成される本発明によれば、以下の効果を奏する。
（１）本発明により、ワィンディング用ゴム、コールドパーマ用ペーパーは技術者の手元（図１７）に配置され、作業台（図１５の５３）の上はワィンディング作業中はロッド類だけを作業台の上に配置すればよく、作業台を広く使うことができるようになった。またワゴン等への接触等があっても、作業台の上が広くロッド類も以前より落とす確率が低くなり、さらに本発明を使用する前は必ず配置されていたゴムホルダーやワィンディング用ペーパーがワゴン等から落下することを防止でき、施術者の労力を軽減することができた。
（２）本発明によりワィンディング用ゴム、コールドパーマ用ペーパーを図１７のように手元に配置する場合、一定量の頭髪をコームでスライスして分け取った後、作業台からはロッドだけ取ればよく、すべてを作業台においてワィンディング作業をする場合と比べると、一定量の頭髪をコームでスライスして分け取った後、作業台よりコールドパーマ用ペーパーを取りスライスした毛髪にあてがった後ロッドを作業台から取り、毛髪とコールドパーマ用ペーパーとロッドをはさみ、髪の毛の根元まで巻き込んだ後、作業台に手を伸ばしワィンディング用ゴムを取り、ロッドにゴムを固定する為、３回も作業台の上に手を伸ばさなければならない。そのような作業台に手を伸ばす回数を大幅に減らすことができ、作業の効率が向上した。また作業台に手を伸ばす回数が多く非効率ということから、わざわざ他の技術者がペーパーやゴムを手渡しをしていたが、作業効率が大幅に上がった為他の技術者がペーパーやゴムを手渡しする必要がなくなり、他の技術者は他の業務に従事できるようになった。
【発明を実施するための最良の形態】
【０００６】
以下、本発明の実施の形態を図面に基づき説明する。図１はティッシュペーパーの様な感覚で一枚ずつコールドパーマ用ペーパーを取る事ができる専用ペーパーを使用するための専用の収納用具に専用増設用コールドパーマ用ペーパー収納用具及びゴムホルダープレートが本体に設置されている状態の全体図、図２は図１の後部側面図、図３は図１の本体部の斜視図、図４は本体を腕に取り付ける際の応用例を示す斜視図、図５は図３に取り付ける為の増設用収納用具本体の正面からの図、図６は図３に取り付ける為の増設用ペーパー収納用具で図７のＡ−Ａ線の断面図、図７は図６の斜視図で専用コールドパーマ用ペーパーを保持する為の弾性体の使用例を示す斜視図、図８は本発明の本体に取り付ける為のワィンディング用ゴムを収納する為の増設用ゴムホルダープレート斜視図、図９は従来からのコールドパーマ用ペーパーを収納するための収納用具で大小２種類のコールドパーマ用ペーパーを収納することができる専用収納用具本体の全体図、図１０は図９の後部側面図、図１１は図９の小さいサイズのペーパーを省略し、大きなサイズのペーパーを収納した時の収納例であり、大きなサイズのワィンディング用ペーパーを動かすことなく小さなサイズのワィンディング用ペーパーを一枚ずつ取るための弾性体の効果を示した全体図、図１２は図９の一部を省略した斜視図、図１３は本発明の従来からのコールドパーマ用ペーパーを利用するための本体の全体を表す斜視図、図１４は従来からのコールドパーマ用ペーパーを使用する収納用具本体を腕に取り付ける際の応用例を示す斜視図である。
図１に示すように、ティッシュペーパーの様な感覚で一枚ずつコールドパーマ用ペーパーを取る事ができる専用ペーパー（以降ピックアップ式ペーパーと称す）３ａ及び３ｂを使用するための専用のペーパー収納用具８は本体部と腕に固定するためのベルト部（図１の１２）の間に３６０度回転する為の回転支持部（図３の１３の部分、図では省略）を有し、腕にベルトで本体を固定している状態でも本体を自分の好きな角度に変えることができる。本体部８の外側側面には図５の増設用ピックアップ式ペーパー収納用具と接続するための接合部（図３の１５）があり、接合部であればどこにでも増設部品である増設用ピックアップ式ペーパー収納用具７及び図８表記のワィンディング用ゴムホルダープレート（以降ゴムホルダープレートと称す）を接合することができる。接合部（図３の１５及び図５の１７ａ、１７ｂ、１７ｃ、及び図８の１９等）の素材は簡単に取り付け取り外しができるようなマジックテープ（商標）等の素材が好ましいが、接合部に増設部品を簡単に取り付け、又取り外しができるものであればその他の素材でもよい。また腕に固定するためのベルト部（図１の１２）は柔軟な素材でできており簡単に技術者の腕に巻きつけることができ、ベルト部の１ａ、１ｂには両者を接合するための接合部が設けてあり、両者を簡単に着脱することができる。その為ベルト部の１ａと１ｂを接合することにより簡単にピックアップ式ペーパー収納用具本体を着脱することができる（図４参照）。接合部の素材は前記記載のマジックテープ（商標）等の素材が好ましいが、簡単に取り付け取り外しできるものであればその他の素材でもよい。ベルト部素材は強度の問題から軟質プラスチック、合皮、綿、ビニル等の素材が好ましいが、しっかりした素材であればその他の素材でもよい。ピックアップ式ペーパー収納用具本体部にはピックアップ式ペーパー３ａを保持する為の弾性体４ａ、４ｂがあり、４ａは図３の１４ａ、４ｂは図３の１４ｂの穴を通過させてあり、本体正面側表底面を通し本体裏側底面を通って弾性体４ａ及び４ｂは輪の状態で繋がっている（図表なし）。この輪の状態になっている弾性体４ａ及び４ｂを使用しピックアップ式ペーパーを挟み込むように収納用具本体８にピックアップ式ペーパー３ａを収納する（図６及び図７参照）。図６のように弾性体でピックアップ式ペーパーを押さえ込むことでピックアップ式ペーパーが少なくなっても弾性体が適度にピックアップ式ペーパーを保持し、最後の１枚まできっちりとピックアップ式ペーパー１１ａを取り出すことができる。また弾性体４ａ及び４ｂが作業中に本体前面で動いてピックアップ式ペーパーが外れてしまわないように２ａ、２ｂの切り込みを利用して図１の２ａ、２ｂのように弾性体４ａ、４ｂを固定する。また増設用ピックアップ式ペーパー収納用具（図５）もピックアップ式ペーパー収納用具本体（図１の８）と基本的な構造は同じで、増設用ピックアップ式ペーパー収納用具本体部（図１の７）にはピックアップ式ペーパー３ｂを保持する為の弾性体１０ａ、１０ｂがあり、１０ａは図５の１６ａ、１０ｂは図５の１６ｂの穴を通過させてあり、本体正面側表底面を通し本体裏側底面を通って弾性体１０ａ及び１０ｂは輪の状態で繋がっている（図表なし）。この輪の状態になっている弾性体１０ａ及び１０ｂを使用しピックアップ式ペーパーを挟み込むように増設用収納用具本体７にピックアップ式ペーパー３ｂを収納する。増設用収納用具本体７の側面にある接合部１７ａと１７ｃはピックアップ式ペーパー収納用具本体の１５と接合する為にピックアップ式ペーパー収納用具本体の１５とは相反する種類の接合部を設けてある。１７ｂはピックアップ式ペーパー収納用具本体の１５と同種類の接合部を設けてある。このため収納用具本体の１５のどの場所にでも増設用収納用具７の１７ａ面、１７ｃ面を接合することができる。また１７ｂ面と収納用具本体１５が同じ種類の接合部をもつことから図２、図５の１７ｂに増設用ゴムホルダープレート図８を接合することもできる。また１７ｂ面と同じ種類の接合部をもつ収納用具本体１５のどの場所にでも増設用ゴムホルダープレート図８を取り付けることができる。また増設用ピックアップ式ペーパー収納用具７は小さなサイズのペーパーも収納できるように本体自体が通常の本体８と比べ小さいものもあるほうが好ましい。ピックアップ式ペーパー収納用具及び増設用ピックアップ式ペーパー収納用具の素材はその重量、強度の点から、アルミニウム合金、銅合金、ステンレス等の軽量金属、硬質プラスチック、塩化ビニル等が好ましい。またペーパーを保持するための弾性体はゴム等の素材が好ましいが、柔軟かつ伸縮性がある素材であればその他の素材でもよい。
図８に示すようにワィンディングゴムを収納するためのゴムホルダープレートはピックアップ式ペーパー収納用具及び和紙を使用したコールドパーマ用ペーパーを収納する収納用具（以降和紙式ペーパー収納用具と称す）に接合する為の接合部１９を有し、収納用具本体７及び８と接合した際、安定して接合するための台座１８、ワィンディング用ゴムを５ａ、５ｂの間に挟んで収納するように構成されている。接合部１９はピックアップ式ペーパー収納用具本体８の１５、増設用ピックアップ式ペーパー収納用具１７ｂ、和紙式ペーパー収納用具の図１０の２６と相反する接合部をもち、前記記載本体接合部ならどの場所にでも接合することができる。接合部の素材は前記記載のマジックテープ（商標）等の素材が好ましいが、簡単に取り付け取り外しできるものであればその他の素材でもよい。またゴムホルダープレートの１８と５ａ、５ｂの先の部分の中間には３０度〜９０度程度の角度がつけてあり収納用具本体に接合した場合でもワィンディング用ゴム（図１、図２、図９、図１０の６）が本体にかからずワィンディング作業の邪魔にならない。またワィンディング用ゴムは５ａと５ｂの間に配置されるのが好ましく、５ａ、５ｂの間には空間があり、ゴムを完全に挟み込むのではなく５ａ又は５ｂに図２、図１０のようにワィンディング用ゴムの輪の真ん中の空間部を通し収納する。５ａと５ｂの先は通常ワィンディング用ゴムが簡単に落ちないように閉じているが、ワィンディング用ゴムを５ａ又は５ｂの先まで引き出してくると簡単に５ａ、５ｂの先が左右に開くように構成されている。ゴムホルダープレートの素材で台座部分の１８はアルミニウム合金、銅合金、ステンレス等の軽量金属、硬質プラスチック、塩化ビニル等が好ましいが、５ａ及び５ｂは硬いだけではなくワィンディング用ゴムを引っ張って取る際左右に開く程度の柔軟さが求められるため硬質プラスチック、塩化ビニル等の素材が好ましい。
図９に示すように、大小２種類の和紙を収納してどちらでも好きな紙を一枚ずつ取ることができる和紙式ペーパー収納用具は本体部と腕に固定するためのベルト部（図９の２４）の間に３６０度回転する為の回転支持部（図１３の２７、図では省略）を有し、腕にベルトで本体を固定している状態でも本体を自分の好きな角度に変えることができる。和紙式ペーパー収納用具本体後部側面は接合部（図１０の２６）があり、図８のゴムホルダープレートを接合することができる。接合部の素材は簡単に取り付け、取り外しができるようにマジックテープ（商標）等の素材が好ましいが、接合部に増設部品を簡単に取り付け、又取り外しができるものであればその他の素材でもよい。また腕に固定するためのベルト部（図９の２４）は柔軟な素材でできており簡単に技術者の腕に巻きつけることができ、ベルト部の２５ａ、２５ｂには両者を接合するための接合部が設けてあり、両者を簡単に着脱することができる。その為ベルト部の２５ａと２５ｂを接合することにより簡単にピックアップ式ペーパー収納用具本体を着脱することができる（図１４参照）。接合部の素材は前記記載のマジックテープ（商標）等の素材が好ましいが、簡単に取り付け取り外しできるものであればその他の素材でもよい。ベルト部素材は強度の問題から軟質プラスチック、合皮、綿、ビニル等の素材が好ましいが、しっかりした素材であればその他の素材でもよい。和紙式ペーパー収納用具は和紙タイプのコールドパーマ用ペーパー２１（以降和紙タイプペーパーと称す）を保持するための弾性体２０ａ、２０ｂ及び図１２の２３があり、大きなサイズの和紙タイプペーパー２１を図１１のように２０ａ及び２０ｂを使用して保持し、図１２で示すようにその２０ａと２０ｂの中間地点に弾性体２３を配置し、小さいサイズの和紙タイプペーパーを保持します。２０ａと２０ｂで大きな和紙タイプペーパー２１を保持することにより、２０ａと２０ｂの間の部分だけがしっかりと固定され、その上に弾性体２３を配置し、小型の和紙タイプペーパー２２を保持し、２２を一枚ずつ取っても大きなサイズの和紙タイプペーパー２１が動くことなく固定されます。また大きなサイズの和紙タイプペーパー２１を一枚ずつ取ることもでき、その際に小さなタイプの和紙タイプペーパー２２がずれ落ちることもありません。大きなサイズのペーパー２１を保持するための弾性体２０ａ及び２０ｂは図１２のようにそれぞれ２９ｃ、２９ａを通り大きな和紙タイプペーパーと本体を輪の中に伸縮性を利用して本体に押さえつけ、保持します。また２０ａと２０ｂの間に配置されている弾性体２３も２９ｂの穴を通り、小さなサイズの和紙タイプペーパー２２を大きなサイズの和紙タイプペーパー２１と本体といっしょに輪の中に伸縮性を利用して押さえつけ、保持します（図１２参照）。また保持してある状態で弾性体２０ａ、２０ｂ、２３が作業中動いて和紙タイプペーパーが落下することがないよう、本体部に弾性体２０ａ、２０ｂ、２３を引っ掛けて固定するための切り込み２８ａ、２８ｂ、２８ｃがありそれぞれ２０ａを２８ｃに、２０ｂを２８ａに、２３を２８ｂにかけて固定します。和紙式ペーパー収納用具の素材はその重量、強度の点から、アルミニウム合金、銅合金、ステンレス等の軽量金属、硬質プラスチック、塩化ビニル等が好ましい。またペーパーを保持するための弾性体はゴム等の素材が好ましいが、柔軟かつ伸縮性がある素材であればその他の素材でもよい。
【図面の簡単な説明】
【０００７】
【図１】ピックアップ式ペーパー収納用具に増設用ピックアップ式ペーパー収納用具及びゴムホルダープレートが本体に設置されている状態の全体図である。
【図２】ピックアップ式ペーパー収納用具本体後部側面図である。
【図３】ピックアップ式ペーパー収納用具本体の一部を省略した斜視図である。
【図４】ピックアップ式ペーパー収納用具本体を腕に取り付ける際の応用例を示す斜視図である。
【図５】ピックアップ式ペーパー収納用具増設用本体の正面からの図である。
【図６】ピックアップ式ペーパー収納用具本体の一部を省略した切断図である。
【図７】本発明の本体にピックアップ式ペーパー設置するために、弾性体を使用して専用ペーパーを固定する応用例を示した収納用具本体の一部を省略した斜視図である。
【図８】本体に設置するための増設部品であるワィンディング用ゴムを収納する為のゴムホルダープレート本体斜視図である。
【図９】和紙式ペーパー収納用具にゴムホルダープレートが本体に設置されている状態の全体図である。
【図１０】和紙式ペーパー収納用具本体後部側面図である。
【図１１】和紙式ペーパー収納用具で弾性体の効果を示す為に、上に収納するコールドパーマ用ペーパーを省略した正面図である。
【図１２】和紙式ペーパー収納用具で弾性体の効果を示す為に一部を省略した和紙式ペーパー収納用具斜視図である。
【図１３】和紙式ペーパー収納用具本体斜視図である。
【図１４】和紙式ペーパー収納用具本体を腕に設置する際の応用例を示す斜視図である。
【図１５】従来からのピックアップ式ペーパー収納用具及び本体を台に保持する為の専用ホルダーを作業台に設置した応用例を示した全体図である。
【図１６】従来からの携帯理容具収納装置の構成を示す斜視図である。
【図１７】ピックアップ式ペーパー収納用具本体を腕に装着して作業をしている全体図である。
【図１８】従来からのワィンディング用ゴムを取るための輪ゴム取り器の全体図である
【符号の説明】
【０００８】
１ａ  １ｂとの接合部
１ｂ  1ａとの接合部
２ａ  ピックアップ式ペーパー３ａを保持する為の弾性体を固定する為の切り込み
２ｂ  ピックアップ式ペーパー３ａを保持する為の弾性体を固定する為の切り込み
３ａ  ピックアップ式ペーパー
３ｂ  ピックアップ式ペーパー
４ａ  ピックアップ式ペーパー３ａを保持する為の弾性体
４ｂ  ピックアップ式ペーパー３ａを保持する為の弾性体
５ａ  ワィンディング用ゴムホルダープレートのゴム収納部
５ｂ  ワィンディング用ゴムホルダープレートのゴム収納部
６    ワィンディング用ゴム
７    増設用ピックアップ式ペーパー収納用具
８    ピックアップ式ペーパー収納用具本体
９ａ  ピックアップ式ペーパー３ｂを保持する為の弾性体を固定する為の切り込み
９ｂ  ピックアップ式ペーパー３ｂを保持する為の弾性体を固定する為の切り込み
１０ａ  ピックアップ式ペーパー３ｂを保持する為の弾性体
１０ｂ  ピックアップ式ペーパー３ｂを保持する為の弾性体
１２    ピックアップ式ペーパー収納用具本体を腕に固定するためのベルト
１３    ベルト部とピックアップ式ペーパー収納用具本体部を３６０度好きな角度に動かす為の部分
１４ａ  弾性体４ｂを本体に固定するための孔
１４ｂ  弾性体４ａを本体に固定するための孔
１５    ピックアップ式ペーパー収納用具本体とピックアップ式ペーパー増設収納用具及びゴムホルダープレートを接合する接合部
１６ａ  弾性体１０ａをピックアップ式ペーパー収納用具本体に固定するための孔
１６ｂ  弾性体１０ｂをピックアップ式ペーパー収納用具本体に固定するための孔
１７ａ  ピックアップ式ペーパー増設収納用具とピックアップ式ペーパー収納用具本体を接合する接合部
１７ｂ  ピックアップ式ペーパー増設収納用具とゴムホルダープレートを接合する接合部
１７ｃ  ピックアップ式ペーパー増設収納用具とピックアップ式ペーパー収納用具本体を接合する接合部
１８    ゴムホルダープレート台座部分
１９    ピックアップ式ペーパー収納用具本体又はピックアップ式ペーパー増設用収納用具と接合するための接合部
２０ａ  和紙タイプペーパーを和紙タイプペーパー収納用具に保持する為の弾性体
２０ｂ  和紙タイプペーパーを和紙タイプペーパー収納用具に保持する為の弾性体
２１    大きなサイズの和紙タイプペーパー
２２    小さなサイズの和紙タイプペーパー
２３    和紙タイプペーパーを和紙タイプペーパー収納用具に保持する為の弾性体
２４    和紙タイプペーパー収納用具本体を腕に固定するためのベルト
２５ａ  ２５ｂとの接合部
２５ｂ  ２５ａとの接合部
２６    和紙タイプペーパー収納用具本体にゴムホルダープレートを接合するための接合部
２８ａ  和紙タイプペーパー２１を保持する為の弾性体を固定する為の切り込み
２８ｂ  和紙タイプペーパー２２を保持する為の弾性体を固定する為の切り込み
２８ｃ  和紙タイプペーパー２１を保持する為の弾性体を固定する為の切り込み
２９ａ  弾性体２０ｂを本体に固定するための孔
２９ｂ  弾性体２３を本体に固定するための孔
２９ｃ  弾性体２０ａを本体に固定するための孔
【図１】
2006280525.tif 000003
【図２】
2006280525.tif 000004
【図３】
2006280525.tif 000005
【図４】
2006280525.tif 000006
【図５】
2006280525.tif 000007
【図６】
2006280525.tif 000008
【図７】
2006280525.tif 000009
【図８】
2006280525.tif 000010
【図９】
2006280525.tif 000011
【図１０】
2006280525.tif 000012
【図１１】
2006280525.tif 000013
【図１２】
2006280525.tif 000014
【図１３】
2006280525.tif 000015
【図１４】
2006280525.tif 000016
【図１５】
2006280525.tif 000017
【図１６】
2006280525.tif 000018
【図１７】
2006280525.tif 000019
【図１８】
2006280525.tif 000020